(57)【要約】【課題】顧客による給油設定の簡略化、混油防止等を図った給油装置等を提供する。【解決手段】所定の領域に信号を送信する送信手段２ａと、前記信号を受信した携帯端末４から給油設定に関する情報を受信する受信手段とを備え、受信手段が携帯端末から情報を受信すると、給油設定がなされる給油装置２。前記信号を受信した携帯端末から給油設定に関する情報を受信したサーバ３から該情報を受信して給油設定をすることもできる。サーバは、給油装置による給油が終了して給油に関する情報を給油装置から受信すると、受信した給油情報と給油を行った顧客のＩＤを関連付けると共に、給油情報として、油種、給油方法及び精算方法を記憶することができる。【選択図】図１
2020071004.tif 000002
【特許請求の範囲】
【請求項１】
所定の領域に信号を送信する送信手段と、
前記信号を受信した携帯端末から給油設定に関する情報を受信する受信手段とを備え、
該受信手段が前記携帯端末から前記情報を受信すると、該給油装置の給油設定がなされることを特徴とする給油装置。
【請求項２】
所定の領域に信号を送信する送信手段と、
前記信号を受信した携帯端末から給油設定に関する情報を受信したサーバから該情報を受信する受信手段とを備え、
該受信手段が前記サーバから前記情報を受信すると、該給油装置の給油設定がなされることを特徴とする給油装置。
【請求項３】
顧客毎の給油設定に関する情報を記憶する記憶手段と、
携帯端末からの信号を受信する受信手段と、
該受信手段が前記信号を受信した際に、該携帯端末を使用する顧客に対応する給油設定に関する情報を前記記憶手段から検索する検索手段と、
該検索手段によって検索された前記携帯端末を使用する顧客に対応する給油設定に関する情報を給油装置に送信する送信手段とを備えることを特徴とするサーバ。
【請求項４】
前記給油装置による給油が終了して該給油に関する情報を前記給油装置から受信すると、受信した給油情報と給油を行った顧客のＩＤを関連付けると共に、該給油情報として、油種、給油方法及び精算方法を記憶することを特徴とする請求項３に記載のサーバ。
【請求項５】
請求項２に記載の給油装置と、請求項３又は４に記載のサーバとを備えることを特徴とする給油所システム。
【発明の詳細な説明】
【技術分野】
【０００１】
本発明は、給油装置、サーバ及び給油所システムに関し、特に、給油動作の簡略化を図った給油装置等に関する。
【背景技術】
【０００２】
近年、スマートフォン、タブレット等の携帯端末は利便性の高さから接客、施設や在庫の管理、点検等、様々な業務に利用され近年急速に普及している。また、ガソリン等の燃料油を供給する給油所においてもＩｏＴ（Internet of Things、モノのインターネット）等の新たな技術の活用が求められている。【０００３】
そこで、本出願人は特願２０１７−６２１８２号においてＩｏＴを活用してメンテナンスに必要な労力及び時間を軽減したシステムを提案している。
【発明の概要】
【発明が解決しようとする課題】
【０００４】
上記発明も有効であるが、メンテナンス以外にも給油所においてＩｏＴを活用することが考えられる。【０００５】
そこで、本発明は、顧客による給油設定の簡略化、混油防止等を図った給油装置等を提供することを目的とする。
【課題を解決するための手段】
【０００６】
上記目的を達成するため、本発明の給油装置は、所定の領域に信号を送信する送信手段と、前記信号を受信した携帯端末から給油設定に関する情報を受信する受信手段とを備え、該受信手段が前記携帯端末から前記情報を受信すると、該給油装置の給油設定がなされることを特徴とする。【０００７】
本発明の給油装置によれば、顧客が予め給油設定データを携帯端末に設定しておけば、所定の領域（給油エリア）に停車する車両内で給油装置の給油設定を簡単に行うことができ、給油装置において、顧客が手動で給油設定を行うための機構を省略することができる。これにより、給油所側の設備投資を削減することができ、顧客が給油の度に給油設定を行うことで誤った給油設定がなされることも回避することができ、混油の防止にも寄与する。【０００８】
また、本発明の給油装置は、所定の領域に信号を送信する送信手段と、前記信号を受信した携帯端末から給油設定に関する情報を受信したサーバから該情報を受信する受信手段とを備え、該受信手段が前記サーバから前記情報を受信すると、該給油装置の給油設定がなされることを特徴とする。【０００９】
本発明の給油装置によれば、上記給油装置と同様の効果を奏すると共に、顧客の携帯端末が給油装置から信号を受信した後、給油装置と携帯端末の間で通信が遮断されてしまった場合でも、サーバを介して両者の間における通信を確立することができる。【００１０】
また、本発明は、サーバであって、顧客毎の給油設定に関する情報を記憶する記憶手段と、携帯端末からの信号を受信する受信手段と、該受信手段が前記信号を受信した際に、該携帯端末を使用する顧客に対応する給油設定に関する情報を前記記憶手段から検索する検索手段と、該検索手段によって検索された前記携帯端末を使用する顧客に対応する給油設定に関する情報を給油装置に送信する送信手段とを備えることを特徴とする。【００１１】
本発明のサーバによれば、給油所側の設備投資の削減等を可能とすると共に、顧客の携帯端末が給油装置から信号を受信した後、給油装置と携帯端末の間で通信が遮断されてしまった場合でも、サーバを介して両者の間における通信を確立することができる。【００１２】
上記サーバは、前記給油装置による給油が終了して該給油に関する情報を前記給油装置から受信すると、受信した給油情報と給油を行った顧客のＩＤを関連付けると共に、該給油情報として、油種、給油方法及び精算方法を記憶することができる。これにより、混油を確実に防止することができると共に、携帯端末にて精算を行うことができるため、給油所側で精算に関わる機器の設備投資を削減することができる。【００１３】
さらに、本発明は、上記給油装置とサーバとを備えた給油所システムであって、上記給油所側の設備投資の削減等を可能とすると共に、顧客の携帯端末が給油装置から信号を受信した後、給油装置と携帯端末の間で通信が遮断されてしまった場合でも通信を維持可能な給油所システムを提供することができる。
【発明の効果】
【００１４】
以上のように、本発明によれば、顧客による給油動作の簡略化を図った給油装置等を提供することができる。
【図面の簡単な説明】
【００１５】
【図１】本発明に係る給油所システムの一実施の形態を示す概略図である。
【図２】図１に示す給油所システムの動作を示すフローチャートである。
【図３】本発明に係る給油装置の他の実施形態を示す概略図である。
【図４】図３に示す給油装置の動作を示すフローチャートである。
【発明を実施するための形態】
【００１６】
次に、本発明を実施するための形態について、図面を参照しながら詳細に説明する。
【００１７】
図１は、本発明に係る給油所システムの一実施の形態を示し、この給油所システム１は、ＢＬＥ（Bluetooth（登録商標） Low Energy）ビーコン（電波発信手段、以下単に「ビーコン」という。）２ａを備えた給油装置２と、クラウドを構成するサーバ３とで構成され、両者は互いに通信可能であり、さらに両者は、車両Ｖ内又は給油エリアで顧客が所有する携帯端末４と通信可能である。また、給油所システム１は、給油後に顧客が精算を行うための精算装置（不図示）も備える。
【００１８】
給油装置２のビーコン２ａの指向性及び通信距離は、給油装置２の近傍の給油エリアに停車する車両Ｖに限られ、給油装置２は、給油所に存在する別の車両内の携帯端末と誤って通信することがない。
【００１９】
サーバ３は、表１に示すように、顧客毎に定められた顧客ＩＤ、油種、給油方法及び精算方法に関する給油設定データと、給油データ（車両に給油を行った際の給油量等）を蓄積すると共に、給油データに基づいて給油所の売上データの管理を行う。
【００２０】
携帯端末４は、顧客が所有するスマートフォンや、タブレット等であって、給油装置２及びサーバ３と通信する機能と、給油データや給油伝票等を表示する機能等を備える。携帯端末４が給油伝票を表示することができれば、給油所側で給油伝票を印字する機器の設備投資を軽減することができて好ましい。
【００２１】
【表１】
2020071004.tif 000003
次に、上記構成を有する給油所システム１の動作について、図１及び図２を参照しながら説明する。尚、顧客は予め携帯端末４のアプリ等を介してサーバ３に顧客ＩＤ、油種、給油方法及び精算方法に関する給油設定データを登録する。
【００２２】
まず、給油装置２のステップＳ１において、ビーコン２ａのビーコンＩＤを出力する。次に、携帯端末４のステップＳ２１において、給油装置２からビーコンＩＤが入力されると（ステップＳ２１；Ｙｅｓ）、サーバ３に対してビーコンＩＤと顧客ＩＤを出力する（ステップＳ２２）。
【００２３】
サーバ３のステップＳ３１において、携帯端末４からビーコンＩＤと顧客ＩＤが入力されると（ステップＳ３１；Ｙｅｓ）、対応する顧客の給油設定データを給油装置２に出力する（ステップＳ３２）。
【００２４】
給油装置２のステップＳ２において、サーバ３から給油設定データが入力されると（ステップＳ２；Ｙｅｓ）、給油装置２において給油設定が行われる。
【００２５】
ステップＳ３において、顧客が給油ノズルをノズル掛けから取り外し、給油装置２のノズルＳＷ（スイッチ）がＯＮになると（ステップＳ３；Ｙｅｓ）、ステップＳ４において、ステップＳ２で入力された油種に対応する給油ノズルが取り外されているか否かを判定し、正しい給油ノズルが取り外されている場合には（ステップＳ４；Ｙｅｓ）、給油装置２の表示器にリセット信号が送信され、前回なされた給油に関する情報の帰零（リセット）がなされると共に、給油ポンプがＯＮとなる（ステップＳ５）。
【００２６】
一方、ステップＳ４において、顧客が誤った給油ノズルを取り外していた場合には（ステップＳ４；Ｎｏ）、表示器等を介して顧客に給油ノズルを確認するよう報知する（ステップＳ６）。
【００２７】
ステップＳ５において、給油ポンプがＯＮになることで流量計もＯＮになり、さらに流量パルス発信器がＯＮになることで（ステップＳ７；Ｙｅｓ）、流量パルス発信器からパルス信号が表示器に送信され、表示器において給油量の表示（計数表示）がなされる（ステップＳ８）。尚、流量パルス発信器がＯＮにならない場合には（ステップＳ７；Ｎｏ）、給油ポンプがＯＦＦでない限り（ステップＳ９；ＮＯ）、すなわち給油が中止されない限り、流量パルス発信器がＯＮになるまで待機する。
【００２８】
ステップＳ２で入力された給油設定に基づく給油が完了すると、給油ポンプがＯＦＦになり（ステップＳ９；Ｙｅｓ）、顧客が給油ノズルをノズル掛けに戻すことでノズルＳＷがＯＦＦになる（ステップＳ１０）。そして、給油データをサーバ３に対して出力する（ステップＳ１１）。これで給油装置２の動作は終了する。
【００２９】
サーバ３のステップＳ３３において、給油装置２から給油データが入力されると（ステップＳ３３；Ｙｅｓ）、給油データから精算データを生成した後、携帯端末４に対して給油・精算データを出力する（ステップＳ３４）。
【００３０】
携帯端末４において、サーバ３から給油・精算データが入力されると（ステップＳ２３；Ｙｅｓ）、顧客が両データを確認するために両データを表示部に表示する（ステップＳ２４）。その後、顧客が携帯端末４の支払ボタンを押すか、両データを確認するために両データの表示時間Ｔが所定時間ｔ１に達すると（ステップＳ２５；Ｙｅｓ）、顧客の確認が終了したとして給油・精算データをサーバ３へ出力する（ステップＳ２６）。
【００３１】
サーバ３において、携帯端末４から給油・精算データが入力されると（ステップＳ３５；Ｙｅｓ）、決済処理完了信号を携帯端末４に出力する（ステップＳ３６）。これでサーバ３の動作を終了する。携帯端末４において、サーバ３から決済処理完了信号が入力されると（ステップＳ２７；Ｙｅｓ）、給油伝票を表示する（ステップＳ２８）。これで携帯端末４の動作も終了して、給油動作が終了する。
【００３２】
以上のように、本実施の形態における給油所システム１によれば、顧客が予め給油設定データを定めていれば、給油装置２の給油エリアに停車する車両Ｖ内又は給油エリアで顧客が所有する携帯端末４と通信するだけで給油装置２の給油設定を行うことができる。また、給油装置２において、顧客が手動で給油設定を行うための機構を省略することができるため、給油所側の設備投資を削減することができる。さらに、顧客が給油の度に給油設定を行うことで誤った給油設定がなされる回数が減り、混油の防止にもなる。
【００３３】
次に、本発明に係る給油装置の他の実施形態について、図３及び図４を参照しながら説明する。
【００３４】
この給油装置２は、上記給油所システム１の給油装置２と同様の構成を有し、決済機能を有する携帯端末１２と双方向通信可能である。上記給油所システム１のサーバ３は存在しない。上記給油所システム１の精算装置（不図示）も不要になる。尚、上記サーバ３が行っていた給油所の売上管理は、ＰＯＳ端末（不図示）で行われる。
【００３５】
携帯端末１２には、表２に示すように、顧客によってアプリ等を介して予め顧客名と給油設定データ（油種、給油方法及び精算方法）が登録される。
【００３６】
【表２】
2020071004.tif 000004
次に、給油装置２の動作について、図３及び図４を参照しながら説明する。
【００３７】
まず、給油装置２のステップＳ１において、ビーコン２ａのビーコンＩＤを出力する。次に、携帯端末１２のステップＳ４１において、給油装置２からビーコンＩＤが入力されると（ステップＳ４１；Ｙｅｓ）、携帯端末１２は、給油設定データを給油装置２に出力する（ステップＳ４２）。
【００３８】
給油装置２のステップＳ２において、携帯端末１２から給油設定データが入力されると（ステップＳ２；Ｙｅｓ）、給油装置２において給油設定が行われる。
【００３９】
給油装置２おけるステップＳ３〜Ｓ１０の給油動作については、上記図２と同一であるため、説明を省略する。
【００４０】
ステップＳ２で入力された給油設定に基づく給油が完了し、顧客が給油ノズルをノズル掛けに戻すことでノズルＳＷがＯＦＦになり（ステップＳ１０）、給油データを携帯端末１２に対して出力する（ステップＳ１１）。これで給油装置２の動作は終了する。
【００４１】
携帯端末１２において、給油装置２から給油データが入力されると（ステップＳ４３；Ｙｅｓ）、顧客が両データを確認するために両データを表示部に表示する（ステップＳ４４）。その後、顧客が携帯端末１２の支払ボタンを押すか、両データの表示時間Ｔが所定時間ｔ１に達すると（ステップＳ４５；Ｙｅｓ）、精算処理が行われ（ステップＳ４６）、携帯端末１２に給油伝票が表示される（ステップＳ４７）。
【００４２】
以上のように、本実施の形態によれば、給油装置２と携帯端末１２が直接通信を行うため、上記サーバ３を設けずに済み、給油所側の設備投資を削減することができる。また、顧客の携帯端末１２が決済機能を備えていれば、精算装置を設けずに済むため、さらに給油所側の設備投資を削減することができる。また、サーバ３を介さずに通信を行うことで、給油動作をより迅速に行うことができる。
【００４３】
尚、上記実施の形態では、電波発信手段としてＢＬＥビーコンを用いたが、携帯端末と通信できる発信手段（wifi等）は特に限定されることがない。
【符号の説明】
【００４４】
１  給油所システム
２  給油装置
２ａ  ビーコン
３  サーバ
４、１２  携帯端末
Ｖ  車両
【図１】
2020071004.tif 000005
【図２】
2020071004.tif 000006
【図３】
2020071004.tif 000007
【図４】
2020071004.tif 000008
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
（削除）
【請求項２】
所定の領域に信号を送信する送信手段と、前記信号を受信した携帯端末から給油設定に関する情報を受信したサーバから該情報を受信する受信手段とを備え、該受信手段が前記サーバから前記情報を受信すると、該給油装置の給油設定がなされる給油装置と、
顧客毎の給油設定に関する情報を記憶する記憶手段と、携帯端末からの信号を受信する受信手段と、該受信手段が前記信号を受信した際に、該携帯端末を使用する顧客に対応する給油設定に関する情報を前記記憶手段から検索する検索手段と、該検索手段によって検索された前記携帯端末を使用する顧客に対応する給油設定に関する情報を給油装置に送信する送信手段とを備えるサーバとを備えることを特徴とする給油所システム。
【請求項３】
（削除）
【請求項４】
前記サーバは、前記給油装置による給油が終了して該給油に関する情報を前記給油装置から受信すると、受信した給油情報と給油を行った顧客のＩＤを関連付けると共に、該給油情報として、油種、給油方法及び精算方法を記憶することを特徴とする請求項２に記載の給油所システム。
【請求項５】
（削除）
【国際調査報告】
2020071004.tif 000009
2020071004.tif 000010